(57)【特許請求の範囲】
【請求項１】
上面に凹部が形成された容器本体と、この容器本体の上面を蓋する蓋体と、化粧料が充填された外周壁面および底面に係合用の凹凸を有しない化粧皿とを備え、上記容器本体の凹部が仕切り材を隔てて、上記化粧皿を収容しうる２つの小凹部に仕切られているとともに、上記仕切り材に、一方の小凹部に収容した化粧皿をスライド自在に通して他方の小凹部に収容しうる貫通孔が形成され、上記化粧皿が通過する上記凹部の底壁の部分の少なくとも一部を、下方に撓む弾性板に形成し、この弾性板に、上記他方の小凹部に収容した化粧皿が上記一方の小凹部側にスライドするのを阻止する位置決め用凸部が形成されていることを特徴とする化粧料容器。
【請求項２】
上記仕切り材の底壁に位置決め用凸部が形成されている請求項１記載の化粧料容器。
【発明の詳細な説明】
【技術分野】
【０００１】
本発明は、化粧料容器に関するものである。
【背景技術】
【０００２】
従来から、ファンデーション等の化粧料を収容して携帯するコンパクトとして、図８に示すようなものが出回っている。このコンパクトは、上面にパフ収容凹部２２と化粧皿収容凹部２３とが前後に形成された容器本体２１と、この容器本体２１の上面を蓋する蓋体２４とを備えており、上記容器本体２１の後端部に設けた凹部２１ａに蓋体２４の後端部２４ａをヒンジ連結している。また、上記化粧皿収容凹部２３には、その左右両側面に左右一対の凹部２３ａ（図９参照。この図９では、一方の凹部２３ａしか図示せず）が相対向する状態で形成されており、これら両凹部２３ａの底面から弾性板２５が立設されているとともに、これら両弾性板２５の上端部に凸部２５ａが突設されている。また、上記化粧皿収容凹部２３には、その後側面に突条（図示せず）が形成されている。そして、上記化粧皿収容凹部２３内に化粧皿２６を収容した状態では、上記両弾性板２５の凸部２５ａに、化粧皿２６の左右両側面に形成された左右一対の凹部２６ａ（図１０参照。この図１０では、一方の凹部２６ａしか図示せず）が着脱自在に係合し、上記突条に、化粧皿２６の後側面に形成された凹部（図示せず）が着脱自在に係合している（例えば、特許文献１参照）。図８において、２８は上記パフ収容凹部２２に収容されたパフで、２９は開蓋用のフックピースである。
【特許文献１】実開平６−７９４１８号公報
【発明の開示】
【発明が解決しようとする課題】
【０００３】
しかしながら、上記のコンパクトでは、化粧皿２６の左右両側面および後側面に凹部２６ａが形成されているため、化粧皿２６の落下強度が低下する。しかも、化粧皿２６の成形金型として、上記凹部２６ａを形成することができる特殊な成形金型を使用しなければならず、その分成形金型が高価になり、コンパクトのコストが上がる。そこで、化粧皿２６の左右両側面や後側面に凹部２６ａ等を形成することなく、化粧皿収容凹部２３に化粧皿２６を保持，固定することのできる化粧料容器の提供が強く要望されている。
【０００４】
本発明は、このような事情に鑑みなされたもので、化粧皿の側面に凹部等を形成することなく、化粧皿を収容するための凹部に化粧皿を保持，固定することのできる化粧料容器の提供をその目的とする。
【課題を解決するための手段】
【０００５】
上記の目的を達成するため、本発明の化粧料容器は、上面に凹部が形成された容器本体と、この容器本体の上面を蓋する蓋体と、化粧料が充填された外周壁面および底面に係合用の凹凸を有しない化粧皿とを備え、上記容器本体の凹部が仕切り材を隔てて、上記化粧皿を収容しうる２つの小凹部に仕切られているとともに、上記仕切り材に、一方の小凹部に収容した化粧皿をスライド自在に通して他方の小凹部に収容しうる貫通孔が形成され、上記化粧皿が通過する上記凹部の底壁の部分の少なくとも一部を、下方に撓む弾性板に形成し、この弾性板に、上記他方の小凹部に収容した化粧皿が上記一方の小凹部側にスライドするのを阻止する位置決め用凸部が形成されているという構成をとる。
【発明の効果】
【０００６】
すなわち、本発明の化粧料容器は、その容器本体に形成された凹部が、仕切り材を隔てて、化粧皿を収容しうる２つの小凹部に仕切られており、上記仕切り材に、一方の小凹部に収容した化粧皿をスライド自在に通して他方の小凹部に収容しうる貫通孔が形成されている。また、上記化粧皿が通過する上記凹部の底壁の部分の少なくとも一部を、下方に撓む弾性板に形成し、この弾性板に、上記一方の小凹部に収容した化粧皿が上記他方の小凹部側にスライドするのを阻止する位置決め用凸部が形成されている。したがって、本発明の化粧料容器では、まず、上記一方の小凹部に化粧皿を収容し、つぎに、この収容した化粧皿を上記貫通孔を通して上記他方の小凹部側にスライドさせることで、化粧皿を他方の小凹部に収容することができる。また、上記スライドの途中で化粧皿が、弾性板に形成した位置決め用凸部を通過する際には、弾性板が下方に撓むため、上記位置決め用凸部を乗り越えて他方の小凹部にまでスライドさせることができる。また、化粧皿を上記他方の小凹部に収容した状態では、上記位置決め用凸部で化粧皿が上記一方の小凹部側にスライドするのが阻止されて、位置決め，固定されている。このため、化粧皿の側面に係合用の凹部等を形成する必要がなくなり、化粧皿の落下強度が向上し、しかも、化粧皿の成形金型として特殊な成形金型を使用しなくてよく、その分成形金型が安価になり、コンパクトのコストが下がる。
【０００７】
上記仕切り材の底壁に位置決め用凸部が形成されていると、化粧皿が上記他方の小凹部内に略収まる状態で、上記他方の小凹部に収容される。
【発明を実施するための最良の形態】
【０００８】
つぎに、本発明の実施の形態を図面にもとづいて詳しく説明する。
【０００９】
図１は本発明の化粧料容器の一実施の形態を示している。図において、１は上面に凹部１ａ（この凹部１ａは、化粧皿収容凹部５およびパフ収容凹部６として利用される）が形成された合成樹脂製の容器本体（図２参照）で、２は上記容器本体１の上面を蓋する合成樹脂製の蓋体で、３は上記容器本体１の凹部１ａ（のうち、化粧皿収容凹部５として利用される部分）の底面上に載置，固定される金属製もしくは合成樹脂製の化粧皿であり、その内部に化粧料３ａが収容されている。この化粧皿３には、その外周壁面に係合用凹部等は形成されていない。
【００１０】
上記容器本体１の凹部１ａは、図３に示すように、左右方向に長い略長方形状に形成されており、その左右方向中央部の上端部には、平面視で上記凹部１ａを左右に仕切る平板状の仕切り材１１が前後方向に架設されている。そして、この仕切り材１１で仕切られた左右両小凹部（左右両空間）のうち、左側小凹部が、化粧皿３を収容するための化粧皿収容凹部（他方の小凹部）５として、右側小凹部が、パフ（図示せず）を収容するためのパフ収容凹部（一方の小凹部）６としてそれぞれ利用されており、それぞれ、化粧皿３を収容することができる大きさに形成されている。また、上記仕切り材１１の下側空間が、上記両収容凹部５，６を連通する貫通孔として利用されており、化粧皿３を左右方向にスライド自在に通過させることができるようにしている。
【００１１】
また、上記容器本体１の凹部１ａの底壁のうち、上記パフ収容凹部６の底壁の左側部分、これに続く上記仕切り材１１の下側空間（すなわち、貫通孔）の底壁部分、およびこれに続く化粧皿収容凹部５の底壁の右側縁部には、その前後方向中央部に、開放部が右側に向いているＵ字状の切り欠き部１３が形成されており、このＵ字状の切り欠き部１３で囲まれた部分が弾性板１４に形成されている（図４参照）。この弾性板１４には、その遊端部の上面（すなわち、仕切り材１１の下側位置）に１条の突条（位置決め用凸部）１５が突設されており（図５参照）、上記スライド時に、化粧皿３が突条１５上を通る際に、弾性板１４が下方に撓んで突条１５を乗り越えることができるようにしている。また、化粧皿３通過後は、上記突条１５が化粧皿３の右側面の下端部に当接して化粧皿３がパフ収容凹部６側にスライドするのを阻止し、化粧皿収容凹部１ａに収容，固定できるようにしている。このとき、化粧皿３の上端部の右側縁部は仕切り材１１の下側に位置しており、この仕切り材１１で化粧皿３の上方への抜け出しが防止されている。また、上記容器本体１の凹部１ａ（の化粧皿収容凹部５）の左側面上端部から凹部１ａの左側面に沿って突片１６（図５参照）が突設されており、化粧皿３を化粧皿収容凹部１ａに収容，固定した状態で、化粧皿３の上端部の左側縁が突部１６の下側に位置しており、この突片１６で化粧皿３の上方への抜け出しが防止されている。図２において、１ｂは上記容器本体１の前端部に設けた係合突部であり、上記蓋体２の前端部に設けた係合爪２ａに着脱自在に係合するようにしている。また、２ｂは上記蓋体２の後端部に設けたヒンジ連結部であり、上記容器本体１の後端部にヒンジ連結している。
【００１２】
上記の構成において、容器本体１の凹部１ａの化粧皿収容凹部５に化粧皿３を収容，固定する場合には、まず、上記凹部１ａのパフ収容凹部６に化粧皿３を収容し（図５参照）、ついで、パフ収容凹部６に収容した化粧皿３を仕切り材１１の下側空間を通して左側にスライドさせ、このスライドの途中で上記突条１５上を乗り越え（図６参照）、化粧皿３を化粧皿収容凹部５に収容することを行う。この状態では、化粧皿３の上端部の左側縁部が上記容器本体１の凹部１ａの突部１６の下側に位置し、化粧皿３の上端部の右側縁部が上記仕切り材１１の下側に位置している（図７参照）。一方、上記化粧皿収容凹部５から化粧皿３を取り出す場合には、パフ収容凹部６側から手指で弾性板１４を押圧して下方に撓ませ、化粧皿３が仕切り材１１の下側空間をスライドできる状態にしてから、化粧皿３を右側にスライドさせてパフ収容凹部６に移動させたのち、パフ収容凹部６から取り出すことを行う。
【００１３】
このように、上記実施の形態では、上記弾性板１４に設けた突条１５を利用し、容器本体１の凹部１ａの化粧皿収容凹部５に化粧皿３を保持，固定することができるため、化粧皿３の外周壁面に係合用の凹部等を形成する必要がなく、化粧皿３の落下強度が向上する。しかも、化粧皿３の成形金型として、特殊な成形金型を使用する必要がなく、その分成形金型が安価になり、コンパクトのコストが下がる。
【００１４】
なお、上記実施の形態では、弾性板１４の突条１５を仕切り材１１の下側位置に形成しているが、これに限定するものではなく、化粧皿３の大きさ（特に、左右幅寸法）に対応させて、適宜の位置（例えば、パフ収容凹部６の底壁，化粧皿収容凹部５の底壁）に形成することができる。
【図面の簡単な説明】
【００１５】
【図１】本発明の化粧料容器の一実施の形態を示す斜視図である。
【図２】容器本体の斜視図である。
【図３】上記容器本体の平面図である。
【図４】上記容器本体の底面図である。
【図５】上記容器本体の作用を示す断面図である。
【図６】上記容器本体の作用を示す断面図である。
【図７】上記容器本体の作用を示す断面図である。
【図８】従来例を示す斜視図である。
【図９】従来例の要部を示す斜視図である。
【図１０】化粧皿の斜視図である。
【符号の説明】
【００１６】
１  容器本体
１ａ  凹部
３  化粧皿
３ａ  化粧料
５  化粧皿収容凹部
６  パフ収容凹部
１１  仕切り材
１４  弾性板
１５  突条
【図１】
0004659392.tif 000002
【図２】
0004659392.tif 000003
【図３】
0004659392.tif 000004
【図４】
0004659392.tif 000005
【図５】
0004659392.tif 000006
【図６】
0004659392.tif 000007
【図７】
0004659392.tif 000008
【図８】
0004659392.tif 000009
【図９】
0004659392.tif 000010
【図１０】
0004659392.tif 000011